(57)【要約】      （修正有）【課題】携帯電話のテンキーパットはキーピッチが小さく、押下力が大きいため、高速キー入力が困難であると共に、親指入力を主体としているため、親指の負担が大きく腱鞘炎になる等の問題が発生している。【解決手段】ノートＰＣ用キースイッチを使用したテンキーパットに、使用頻度の高い複数箇のファンクションキーを配置してなる「テンキーボード」を、携帯電話のテンキーパットの上面に部分的にオーバーラップする状態にマウントする。キーボードの出力コネクターは、携帯電話のインターフェース・コネクター部と電気的に結合する。携帯電話への入力形式は、同一キーの連続押下回数に対応した文字、記号が設定されており、該コードを携帯電話表示部内の所定の位置に表示するため、常にキーの押下状態を監視し、同一キー内での連続押下時には、先づ「ＢＳ」コードを送出した後、該当する文字コードを送るケースを設定した。【選択図】図１
2005032207.tif 000002
【特許請求の範囲】
【請求項１】
携帯電話のテンキーパットに比較し、キーピッチとキーストロークが大きく、押下力の小さいテンキーボードが、該テンキーパットの上面に部分的にオーバーラップする状態でマウントされ、その出力コネクターは携帯電話のインターフェース・コネクターに接続されてなるキーボード。
【請求項２】
テンキーパット上のカーソルキーとファンクションキーの内、使用頻度の多いキーを選びテンキーパットの周辺部に配置してなる請求項１のキーボード。
【請求項３】
同一キーを複数回、連続押下することにより、複数箇の文字コードが発生するキーボードにおいて、常にキーの押下状態を監視していて、異なるキーが押下された時を除いては、２回目以降の押下に対して、先づ「ＢＳ」コードを送り、続いて該当する文字コードを送出するキーボード。
【請求項４】
回動又は摺動できる軸部の両端には、軸と直角に同一方向に伸びる腕があり、その中間部には互いに回動結合できるための、凸部又は凹部が形成されていて、腕の先端部にはキートップと回動又は摺動結合を可能とする円筒が形成されてなる、内側アームと外側アームと更に、キートップとは反対側で、該軸部と結合するための回動又は摺動受部を形成しているホルダーとよりなる、Ｘ字リンク式スイッチにおいて、ホルダー中央部に円形と短形が、重疊されてなる孔が形成されていることを特長とするキースイッチ。
【請求項５】
ＬＥＤチップの端子部と半田結合するための半田パターンに隣接し、ドームスプリングを位置決め支持するための丸穴と、その近傍にホルダーを位置決めするための複数箇の孔を形成してなる、プリント板がメンブレンシート上に配置していることを特長とするＬＥＤ表示スイッチ。
【請求項６】
情報携帯端末装置接続用コネクターが、キーボードを形成するプリント基板上に搭載されていることを特長とするキーボード。
【請求項７】
ＱＷＥＲＴＹ配列のキーボードが携帯情報端末装置のテンキーボードの上面に部分的にオーバーラップする状態となる様に、携帯情報端末装置を装着することを特長とするキーボード。
【発明の詳細な説明】
【発明の詳細な説明】
【産業上の利用分野】
【０００１】本発明は高度化する携帯電話を用いて、作業現場より業務内容を正確に速く報告するために、携帯電話の操作性をノートＰＣレベルに向上させるためのキーボード装置に関するものである。
【背景技術】
【０００２】携帯電話のテンキーパットはキーピッチが小さく、押下力が大きいため、高速キー入力が困難であると共に、親指入力を主体としているため、親指の負担が大きく腱鞘炎になる等の問題が発生している。
【発明が解決しようとする課題】
【０００３】本発明は上記従来の問題点を解決し、操作性に優れ、小型軽量で低価格であり、信頼性が高く、携帯電話に装着可能なキーボード装置を提供するものである。
【課題を解決するための手段】
【０００４】本発明はかかる課題を解決するためになされたものであり、全指でタッチタイピング入力できるノートＰＣ用キースイッチを使用したテンキーパットに、使用頻度の高い複数箇のファンクションキーを配置してなる「テンキーボード」を、携帯電話のテンキーパットの上面に部分的にオーバーラップする状態にマウントする。キーボードの出力コネクターは、携帯電話のインターフェース・コネクター部と電気的に結合する。
【０００５】携帯電話との電気的インターフェースは文字、記号等のコードをシリアルに送信する方式であり、該コードの文字表示を携帯電話の表示部で行うための、新しいコードの送出方式を考案した。携帯電話の入力形式は、同一キーの連続押下回数に対応した文字、記号が設定されており、該コードを携帯電話表示部内の所定の位置に表示するため、常にキーの押下状態を監視し、同一キー内での連続押下時には、先づ「ＢＳ」コードを送出した後、該当する文字コードを送るケースを設定した。
【発明を実施するための最良の形態】
【０００６】本発明の実施の形態について図１〜図１３  について説明する。図１は本発明によるキーボード装置の外観図である。図１ａは平面図、図１ｂは側面図、図１ｃは下面図である。１はキースッチ群で、１１はＬＥＤ表示付スイッチ、２はモールドハウジング、２１は携帯電話をキーボードの所定位置に設置するための側壁、３は携帯電話へのインターフェース・コネクターである。【０００７】キーボードは電話用キーパットの左側に、４ケのファンクキーが配置されてなる。「かな／英記」キー１１は文字モード設定キーで、押下する度にひらがな、カタカナ、アルファベット、数字の順にモードが切り替わる。ＬＥＤ表示スイッチで、ひらがなモードに設定されている時にＬＥＤは点灯する。「→」キー１２は右カーソルキーだが、入力キーの役目を持っている。「↓」キー１３は下カーソルキーだが、変換キーの役目を持っている。「●」キー１４は確定キーである。【０００８】図２はキーボードに携帯電話を装着した場合の外観図である。２ａは上面図、２ｂは側面図、２ｃは断面図である。携帯電話本体８はキーボードの裏面中央に位置するインターフェース・コネクター３により電気的、機械的に結合すると共に、モールドハウジングの側壁２１により支持されている。【０００９】図３はＬＥＤ表示スイッチの外観図で、図３ａは断面図、３ｂは上面図である。ＬＥＤ表示スイッチは操作部、スイッチ部、表示部よりなる。操作部は内側アーム１１２と外側アーム１１３とでＸ字リンクを形成していて、ホルダー１１４はこれ等を支持している。ホルダーの端子部１１４１はＬ字曲げ加工され、基板５に形成された孔５０に挿入され、位置決めされた後、接着又は絞めにより基板に固定され操作部が完成する。【００１０】スイッチ部はメンブレンシートスイッチ４でモールドハウジング２上にセットされる。その上にドームスプリング１１５と操作部ユニットがセットされ、キートップ１１１を取り付けるとキースイッチとなる。ＬＥＤ表示付の場合は基板をプリント基板５１を使用することにより、ＬＥＤ１１６をドームスプリング支持孔５１０に隣接する位置に実装すると低背形ＬＥＤ表示スイッチとなる。この場合、ホルダー中央部にはＬＥＤが貫通する短形とドームスプリングが貫通する丸形が重なり合った形の孔部５１１が形成される。【００１１】図４はＬＥＤキースイッチ用キートップの外観図である。図４ａは上面図、図４ｂ右側面図、図４ｃは背面図、図４ｄは断面図である。キートップ中央部は光を通すアクリル系樹脂を使用した２色成形品である。【００１２】図５はプリント基板上にＬＥＤ，内側アーム１１２、外側アーム１１３とホルダーを搭載した操作部ユニットの外観図である。図５ａは上面図、図５ｂは側面図、図５ｃは背面図である。【００１３】図６はメンブレンシートの配線パターン図である。図７はハウジングモールドの外観図である。図８はプリント板組立ての外観図である。図８ａは上面図、図８ｂは側面図、図８ｃは背面図である。プリント基板の上面にはメンブレンシートスイッチ４の接続コネクター６、ＬＳＩ７等が搭載され、下面には携帯電話へのインターフェース・コネクター３と電池用電極９が搭載される。【００１４】図９はプリント板���立てと電池をカバーする蓋１０の外観図である。図９ａは上面図、図９ｂは側面図、図９ｃは背面図である。蓋はハウジングモールドの支柱１１にタッピングネジで固定される。【００１５】図１０は文字コード発生のフローチャートである。電話用キーパットのキーは同一キーを複数回、連続押下することにより複数箇の文字コードが発生する。例えば「あ」キーを押すと１回目は「あ」、２回目は「い」、３回目は「う」、４回目は「え」、５回目は「お」のコードが発生する。表示は携帯電話の指定箇所にその都度変えてゆくために、常にキーの押下状態を監視していて、異なるキーが押下された時を除いては、２回目以降の押下に対して、先づ「ＢＳ」コードを送り、続いて該当する文字コードを発生させる。【００１６】第２の実施例として携帯電話の横に配置したキーボードである。図１１は横配置形キーボードの外観図である。図１１ａは上面図、図１１ｂは側面図、図１１ｃは断面図である。ホルダー１１４、ＬＥＤ１１６が搭載され、ドームスプリング１１５を支持する。プリント基板上５１に携帯電話インターフェース・コネクター３を搭載しているため、キーボードの薄形化、コストの低減が計られている。【００１７】第３の実施例として、パソコン用キーボードとキー配列が同じＱＷＥＲＴＹ配列キーボードを考案した。図１２は携帯電話を装着可能な手帳サイズのＱＷＥＲＴＹ配列キーボードの外観図である。図１２ａは上面図、図１２ｂは側面図である。操作時に、横方向のキーピッチは拡大可能で、１９ｍｍとなり、高速なタッチタイピングが可能となる。【００１８】図１３はＱＷＥＲＴＹ配列キーボードに携帯電話を装着した状態の外観図である。図１３ａは上面図、図１３ｂは側面図である。パソコンと同じキータッチで携帯電話への文書入力が速く、正確にできる。
【発明の効果】
【００１９】本発明によるキーボード装置は、携帯電話等の携帯情報端末装置を装着可能であり、キーピッチ間隔とキーストロークが大きく、押下力が小さく、通常のパソコン同様操作性が良好であって、信頼性、耐久性に優れ、小型、軽量で且つ、低コストのキーボード装置である。
【図面の簡単な説明】
【図１】本発明に係わるキーボード装置の外観図である。
【図２】本発明に係わるキーボード装置に携帯電話を装着した場合の外観図である。
【図３】ＬＥＤ表示スイッチの外観図である。
【図４】ＬＥＤ表示スイッチ用キートップの外観図である。
【図５】プリント基板上にＬＥＤ，内・外側アームとホルダーを搭載した操作部ユニットの外観図である。
【図６】メンブレンシートの配線パターン図である。
【図７】ハウジングモールドの外観図である。
【図８】プリント板組立ての外観図である。
【図９】プリント板組立てと電池をカバーする蓋の外観図である。
【図１０】文字コード発生のためのフローチャートである。
【図１１】横配置形キーボードの外観図である。
【図１２】ＱＷＥＲＴＹ配列キーボードの外観図である。
【図１３】携帯電話を装着したＱＷＥＲＴＹ配列キーボードの外観図である。
【符号の説明】
１．            キースイッチ群１１．          ＬＥＤ表示スイッチで文字モード設定キー１１１．        ＬＥＤ表示スイッチ用キートップ１１２．        内側アーム１１３．        外側アーム１１４．        ホルダー１１４１．      ホルダー端子のＬ字曲げ部１１５．        ドームスプリング１１６．        ＬＥＤチップ１２．          入力キー１３．          変換キー１４．          確定キー２．            モールドハウジング２１．          側壁３．            携帯電話へのインターフェース・コネクター４．            メンブレンシート５．            基板５０．          孔５１．          プリント基板５１０．        ドームスプリング支持孔５１１．        短形と丸形が重なり合った孔部６．            メンブレンシートスイッチ接続コネクター７．            ＬＳＩ８．            携帯電話本体９．            電池用電極１０．          蓋１５．          支柱
【図１】
2005032207.tif 000003
【図２】
2005032207.tif 000004
【図３】
2005032207.tif 000005
【図４】
2005032207.tif 000006
【図５】
2005032207.tif 000007
【図６】
2005032207.tif 000008
【図７】
2005032207.tif 000009
【図８】
2005032207.tif 000010
【図９】
2005032207.tif 000011
【図１０】
2005032207.tif 000012
【図１１】
2005032207.tif 000013
【図１２】
2005032207.tif 000014
【図１３】
2005032207.tif 000015